(57)【要約】  本発明は、ホール素子１３ａ，１３ｂおよびタクトスイッチ１２ａ〜１２ｄを上面に実装したプリント基板１０と、前記ホール素子１３ａ，１３ｂに対応する位置に貫通孔２４ａ，２４ｂを設け、前記プリント基板１０の上面に押し下げ可能に取り付けた非磁性材からなる押圧基板２０と、所定の角度ピッチでＮ極およびＳ極を交互に配置した円環状マグネット３２を下面に同一軸心上に一体化し、前記押圧基板２０の上面中央部に回動可能に支持した回動操作体３０と、から構成されている。そして、前記回動操作体３０を回動させることにより、前記押圧基板２０の貫通孔２４ａ，２４ｂを通過するマグネット３２の磁束を前記ホール素子１３ａ，１３ｂが検出するとともに、前記回動操作体３０を押し下げることにより、前記押圧基板２０を介して前記タクトスイッチ１２ａ〜１２ｄを駆動できる。
2005031776.tif 000002
【特許請求の範囲】
【請求項１】
磁気検出手段およびスイッチを上面に実装したプリント基板と、
前記プリント基板の上面に押し下げ可能に取り付けた押圧基板と、
所定の角度ピッチでＮ極およびＳ極を交互に配置した円環状マグネットを下面に同一軸心上に一体化し、前記押圧基板の上面中央部に回動可能に支持した回動操作体と、からなり、
前記回動操作体を回動させることにより、前記押圧基板を通過するマグネットの磁束を前記磁気検出手段が検出するとともに、前記回動操作体を押し下げることにより、前記押圧基板を介して前記スイッチを駆動することを特徴とする情報入力装置。
【請求項２】
押圧基板が、非磁性材からなるとともに、磁気検出手段に対応する位置に磁束が通過する貫通孔を設けたことを特徴とする請求項１に記載の情報入力装置。
【請求項３】
スイッチと押圧基板との間に押圧用スペーサを配置したことを特徴とする請求項１または２に記載の情報入力装置。
【請求項４】
押圧基板と回動操作体との間に摺動用スペーサを配置したことを特徴とする請求項１ないし３のいずれか１項に記載の情報入力装置。
【請求項５】
押圧基板の下面から下方側に突出する複数本の脚部を、プリント基板に設けた複数の係止孔にそれぞれ挿入したことを特徴とする請求項１ないし４のいずれか１項に記載の情報入力装置。
【請求項６】
脚部の下端縁部に抜け止め用爪部を設けたことを特徴とする請求項１ないし５のいずれか１項に記載の情報入力装置。
【請求項７】
請求項１ないし６のいずれか１項に記載の情報入力装置を用いたことを特徴とする電子機器。
【発明の詳細な説明】
【技術分野】
【０００１】
本発明は情報入力装置、特に、携帯電話機等の電子機器に使用できる情報入力装置、および、この情報入力装置を用いた電子機器に関する。
【背景技術】
【０００２】
従来、携帯電話機等の情報入力装置としては、例えば、特許文献１（第４５頁〜第４９頁  図２９〜図３３）に示すようにベース４０２にプリント基板４２０および操作ダイヤル４３６等の内部構成部品を組み込んだものがある。
【特許文献１】国際公開第０２／０９９６１７号パンフレット
【発明の開示】
【発明が解決しようとする課題】
【０００３】
しかしながら、前述の情報入力装置では、ベース４０２にプリント基板４２０および操作ダイヤル４３６等の内部構成部品を組み付けるものであるので、部品点数、組立工数が多いという問題点がある。【０００４】
本発明は、前記問題点に鑑み、プリント基板に回動操作体を直接、取り付けることにより、部品点数、組立工数の少ない情報入力装置およびこれを用いた電子機器を提供することを目的とする。
【課題を解決するための手段】
【０００５】
本発明にかかる情報入力装置は、前記目的を達成すべく、磁気検出手段およびスイッチを上面に実装したプリント基板と、前記プリント基板の上面に押し下げ可能に取り付けた押圧基板と、所定の角度ピッチでＮ極およびＳ極を交互に配置した円環状マグネットを下面に同一軸心上に一体化し、前記押圧基板の上面中央部に回動可能に支持した回動操作体と、からなり、前記回動操作体を回動させることにより、前記押圧基板を通過するマグネットの磁束を前記磁気検出手段が検出するとともに、前記回動操作体を押し下げることにより、前記押圧基板を介して前記スイッチを駆動する構成としてある。【０００６】
本発明によれば、プリント基板が従来例のベースとしての機能をも果たすので、ベースが不要となり、部品点数，組立工数が減少し、コストが低減するとともに、生産性が向上する。【０００７】
本実施形態としては、押圧基板は、非磁性材からなるとともに、磁気検出手段に対応する位置に磁束が通過する貫通孔を設けたものであってもよい。
本実施形態によれば、押圧基板が非磁性材で形成され、円環状マグネットが押圧基板に吸着することがないので、前記円環状マグネットと一体な回動操作体を滑らかに回動させることができる。また、前記押圧基板には磁束が通過する貫通孔を設けてあるので、ホール素子の検知精度を低下させることもない。【０００８】
他の実施形態としては、スイッチと押圧基板との間に押圧用スペーサを配置しておいてもよい。
本実施形態によれば、前記押圧用スペーサが操作者に適度な操作感触を与え、操作性が向上する。【０００９】
また、別の実施形態としては、押圧基板と回動操作体との間に摺動用スペーサを配置しておいてもよい。
本実施形態によれば、摺動用スペーサを介して回動操作体が点接触することになり、滑らかな操作感触が得られる。【００１０】
さらに、新たな実施形態としては、押圧基板の下面から下方側に突出する複数本の脚部を、プリント基板に設けた複数の係止孔にそれぞれ挿入しておいてもよく、さらに、前記脚部の下端縁部に抜け止め用爪部を設けておいてもよい。
本実施形態によれば、押圧基板が位置ずれせず、脱落するおそれもないので、高い位置決め精度を確保でき、誤動作のない情報入力装置が得られるという効果がある。【００１１】
そして、別の発明としては、前述の情報入力装置を用いた電子機器、例えば、携帯電話機、携帯音楽プレーヤーであってもよい。
本実施形態によれば、部品点数、組立工数が少ない情報入力装置を備えた電子機器が得られる。
【発明の効果】
【００１２】
前述の説明から明らかなように、本発明によれば、プリント基板が従来例のベースとしての機能をも果たすので、ベースが不要となり、部品点数，組立工数が減少し、コストが低減するとともに、生産性の高い情報入力装置およびこれを用いた電子機器が得られるという効果がある。
【図面の簡単な説明】
【００１３】
【図１】本発明にかかる情報入力装置の実施形態を示す分解斜視図である。
【図２】図１で示した実施形態の分解正面図である。
【図３】図３Ａ，３Ｂは図１で示した実施形態の組立途中を示す斜視図である。
【図４】図１で示した実施形態の組立途中を示す斜視図である。
【図５】図５Ａは図１で示した実施形態の平面図、図５Ｂは図５ＡのＢ−Ｂ線断面図である。
【図６】図６Ａは図１で示した実施形態の要部拡大図であり、図６Ｂ，６Ｃは変形例である。
【図７】図１で示した実施形態にかかる情報入力装置を組み込んだ携帯電話機を示す斜視図である。
【符号の説明】
【００１４】
１：携帯電話機
２：モニター
３：情報入力装置
４：テンキー
５：マイク
６：スピーカー
７：ハウジング
８：取付孔
１０：プリント基板
１１：回動軸心
１２ａ，１２ｂ，１２ｃ，１２ｄ：タクトスイッチ
１３ａ，１３ｂ：ホール素子
１４ａ，１４ｂ，１４ｃ，１４ｄ：係止孔
２０：押圧基板
２１：凹所
２２：支持軸
２３：ベアリング
２４ａ，２４ｂ：貫通孔
２５：摺接用スペーサ
２６ａ，２６ｂ，２６ｃ，２６ｄ：脚部
２７：爪部
２８：押圧用スペーサ
３０：回動操作体
３１：凹部
３２：マグネット
【発明を実施するための最良の形態】
【００１５】
本発明にかかる実施形態を図１ないし図７の添付図面に従って説明する。
本実施形態にかかる情報入力装置は、図７に示すように、携帯電話機１に適用した場合である。前記携帯電話機１は、そのモニター２内のスクロールバー（図示せず）を情報入力装置３でスクロールするとともに、前記情報入力装置３で選択指示を出すことができる。なお、４はテンキー、５はマイク、６はスピーカーである。【００１６】
前記情報入力装置３は、図１に示すように、プリント基板１０と、押圧基板２０と、回動操作体３０とからなるものである。【００１７】
前記プリント基板１０は、図１に示す回動軸心１１を中心とする同一円周上に４個のタクトスイッチ１２ａ，１２ｂ，１２ｃ，１２ｄを所定のピッチで表面実装してあるとともに、同一円周上にホール素子１３ａ，１３ｂを表面実装してある。前記ホール素子１３ａ，１３ｂは後述するマグネット３２の回動に伴う磁界の変化を検知し、検知結果に位相差が生じるように配置されている。さらに、前記プリント基板１０は、前記回動軸心１１を中心とする同一円周上に後述する押圧基板２０を位置決めする係止孔１４ａ，１４ｂ，１４ｃ，１４ｄを設けてある。前記タクトスイッチ１２ａ〜１２ｄ、前記ホール素子１３ａ，１３ｂおよび係止孔１４ａ〜１４ｄは必ずしも同一円周上に配置する必要はなく、必要に応じて適宜変更できることは勿論である。【００１８】
なお、２つの前記ホール素子１３ａ，１３ｂで検知した信号に基づいて前記回動操作体３０の回動方向を検出するとともに、前記ホール素子１３ａ，１３ｂのいずれか一方で検知した信号に基づいて前記回動操作体３０の回転量を検出する制御回路（図示せず）をプリント基板１０に設けておいてもよく、あるいは、外部回路として接続しておいてもよい。【００１９】
前記押圧基板２０は、磁束が透過しない非磁性材からなる薄板円板状であり、その上面中央部にプレス加工で凹所２１を形成するとともに、その中心部に別体の支持軸２２をカシメ固定してある。前記支持軸２２にはベアリング２３が取り付けられている。さらに、前記押圧基板２０は、前記凹所２１の周辺部のうち、前記ホール素子１３ａ，１３ｂに対応する位置に磁束を通過させるための一対の貫通孔２４ａ，２４ｂを設けてあるとともに、前記凹部２１の周辺部上面に所定のピッチで摺接用スペーサ２５を固定してある。さらに、前記押圧基板２０は、その下面周辺縁部から前記プリント基板１０の係止孔１４ａ〜１４ｄに嵌合する４本の脚部２６ａ，２６ｂ，２６ｃ，２６ｄを下方側に向けて突出させてある。特に、対向する一対の脚部２６ｂ，２６ｄの下端部には抜け止め用爪部２７を設けてある。さらに、前記プリント基板１０の下面に位置する周辺部のうち、前記タクトスイッチ１２ａ〜１２ｄに対応する位置に弾性材からなる操作用スペーサ２８をそれぞれ取付けてある。【００２０】
したがって、前記プリント基板１０の係止孔１４ａ〜１４ｄに前記押圧基板２０の脚部２６ａ〜２６ｄを挿通させて係合することにより、前記押圧基板２０を押し下げてタクトスイッチ１２ａ〜１２ｄを操作できる構造となっている。なお、前記脚部２６ｂ，２６ｄの下端縁部にそれぞれ設けた爪部２７が前記係止孔１４ｂ，１４ｄの下面縁部に係止し、抜け止めされる。【００２１】
なお、前記摺接用スペーサ２５は、後述する回動操作体３０の下面に点接触して摩擦力を小さくし、滑らかな操作を可能とするためのものである。また、前記操作用スペーサ２８は、回動操作体３０および押圧基板２０を介して操作者に好ましい操作感触を付与するためのものである。【００２２】
さらに、図６Ａに示すように、前記押圧基板２０の表裏面に別体の前記摺接用スペーサ２５および前記操作用スペーサ２８を常に設ける必要はなく、必要に応じて設ければよい。また、図６Ｂ，６Ｃに示すように、前記押圧基板２０の一部に突き出し加工を施すことにより、摺接用突起２０ａあるいは操作用突起２０ｂを設けておいてもよい。前述の変形例によれば、部品点数，組立工数が減少し、生産性が向上し、生産コストが減少するという利点がある。【００２３】
前記回動操作体３０は、その下面中央部に前記ベアリング２３に嵌合する凹部３１を設けてあるとともに、その下面に同一軸心上に円環状のマグネット３２を嵌合一体化してある。前記マグネット３２は一定の角度ピッチでＮ極およびＳ極を交互に配置してある。そして、前記押圧基板２０に取り付けたベアリング２３に前記凹部３１を嵌合することにより、前記回動操作体３０は回動可能に支持される。なお、前記回動操作体３０は、例えば、図７に示すように、携帯電話機１のハウジング７に設けた取付孔８に嵌合することにより、その周辺縁部を抜け止めされ、脱落することはない。【００２４】
次に、前記情報入力装置３を携帯電話機１の入力装置として使用する場合の操作方法は、前述の従来例とほぼ同様であるので、簡単に説明する。
すなわち、回動操作体３０を回動させることにより、これと一体な円環状のマグネット３２も回動する。このため、ホール素子１３ａ，１３ｂが貫通孔２４ａ，２４ｂを通過する前記マグネット３２の磁束の変化を検出することにより、回動操作体３０の回動方向および回動量を検出して図示しない制御回路に出力する。そして、前記制御回路の出力に基づいて前記回動操作体３０の回転方向および回動量に応じ、モニター２内のスクロールバーが上下方向のいずれか一方に移動して停止し、所望のデータを明示する。そして、回動操作体３０を押すことにより、摺接用スペーサ２５、押圧基板２０および操作用スペーサ２８を介してタクトスイッチ１２ａ〜１２ｄがオンし、その信号が制御回路に出力され、既に入力済みのスクロール方向およびスクロール量を確定する。したがって、前記タクトスイッチ１２ａ〜１２ｄを確定スイッチとしても使用できる。【００２５】
また、回動操作体３０の下方側に配置した４個のタクトスイッチ１２ａ〜１２ｄのいずれかを選択的に押圧することにより、該当するタクトスイッチ１２ａ〜１２ｄを上下、左右方向を選択する入力手段としても使用できる。例えば、左右、上下、あるいは前後へのスクロール、シフト等の入力が可能である。以後、同様な操作を行うことにより、モニター２内の所望のデータを特定して選択できる。【００２６】
なお、前述の実施形態に限らず、タクトスイッチは少なくとも１個あればよい。
【産業上の利用可能性】
【００２７】
本発明にかかる情報入力装置は、携帯電話機に限らず、例えば、携帯音楽プレーヤー、パーソナルコンピューター等の電子機器にも適用できる。
【図１】
2005031776.tif 000003
【図２】
2005031776.tif 000004
【図３】
2005031776.tif 000005
【図４】
2005031776.tif 000006
【図５】
2005031776.tif 000007
【図６】
2005031776.tif 000008
【図７】
2005031776.tif 000009
【国際調査報告】
2005031776.tif 000010
2005031776.tif 000011
2005031776.tif 000012
2005031776.tif 000013